(57)【要約】【課題】水分を外部へ排水することが可能なプロテクタ、及びこのプロテクタを構成に含むワイヤハーネスを提供する。【解決手段】水抜き穴４６は、電線収容部４５に集まってくる水分を外部へと逃がすための部分として形成されている。水抜き穴４６は、電線収容部４５を貫通するように、また、車両の後方に向けて貫通するように形成されている。さらに、水抜き穴４６は、電線収容部４５から次第に地面側に傾斜するように形成されている。水抜き穴４６は、車両内部用保護部材２７の端部近傍位置に貫通形成されている。水抜き穴４６は、ワイヤハーネスにおいて最も地面に近い位置に配置形成されている。【選択図】図５
2010051042.tif 000002
【特許請求の範囲】
【請求項１】
電線又は電線束を収容するための隣り合うコルゲートチューブ同士の端部間となる箇所で、該端部をそれぞれ保持するように設けられるプロテクタにおいて、
スリットのない形状のコルゲートチューブを保持対象とするとともに、車両の車体床下をプロテクタ固定対象位置とし、且つ、
前記コルゲートチューブの前記端部をそれぞれ保持する一対のチューブ保持部と、該一対のチューブ保持部の間に位置し前記端部から露出する前記電線又は前記電線束を収容する電線収容部とを有し、さらに、
該電線収容部に外部へ水分を逃がすための水抜き穴を貫通形成し、該水抜き穴の貫通方向を前記車両の後方へ向く方向に設定する
ことを特徴とするプロテクタ。
【請求項２】
請求項１に記載のプロテクタにおいて、
前記水抜き穴を、前記電線収容部から次第に地面側に傾斜する形状に形成する
ことを特徴とするプロテクタ。
【請求項３】
請求項１又は請求項２に記載の水抜き穴を有するプロテクタと、該プロテクタに保持されるスリットのない形状のコルゲートチューブと、該コルゲートチューブに収容される電線又は電線束とを備え、配索対象位置に車両の車体床下を含む
ことを特徴とするワイヤハーネス。
【請求項４】
請求項３に記載のワイヤハーネスにおいて、
前記コルゲートチューブを、断面非円形状の絶縁性を有する合成樹脂製の平型コルゲートチューブとする
ことを特徴とするワイヤハーネス。
【請求項５】
請求項３又は請求項４に記載のワイヤハーネスにおいて、
前記車体床下に配索した時に前記水抜き穴が地面に最も近い位置となるように前記プロテクタを配置する
ことを特徴とするワイヤハーネス。
【請求項６】
請求項３ないし請求項５いずれか記載のワイヤハーネスにおいて、
前記電線又は前記電線束の配索方向が変わる位置に前記プロテクタを配置する
ことを特徴とするワイヤハーネス。
【発明の詳細な説明】
【技術分野】
【０００１】
本発明は、隣り合うコルゲートチューブに跨って設けられるプロテクタと、このプロテクタを構成に含むワイヤハーネスとに関する。
【背景技術】
【０００２】
下記特許文献１に開示されたワイヤハーネスは、三本の高圧電線と、この三本の高圧電線を一本ずつ収容して保護するための三本の金属保護パイプとを備えて構成されている。高圧電線は、車両の前側に搭載されるモータと、車両の中間又は後側に搭載されるインバータとを接続するものとして備えられている。
【０００３】
ワイヤハーネスは、車体フレームの外側となる車体床下を通って配索されるようになっている。このため、金属保護パイプは石跳ねや水跳ねから高圧電線を保護することができるように形成されている。金属保護パイプは、石跳ねや水跳ねから高圧電線を保護し且つ高圧電線の撓みを防止する剛性を有するとともに、金属製であることから電磁シールド機能も有している。
【０００４】
ワイヤハーネスは、真っ直ぐな状態の金属保護パイプに高圧電線を挿通し、これを三本分行った後に、車体床下におけるワイヤハーネスの配索経路に沿って金属保護パイプに曲げを施すことにより製造されている。ワイヤハーネスは、ハーネスメーカーの工場で上記の如く製造された後に、自動車メーカーの組み立て工場へと搬送されて車両の所定位置に組み付けられ、これにより配索が完了するようになっている。
【特許文献１】特開２００４−２２４１５６号公報
【発明の開示】
【発明が解決しようとする課題】
【０００５】
車両は様々な環境条件下におかれることから、上記従来技術は次のような問題点を有している。すなわち、金属保護パイプ内で結露が発生した場合、この水分が下へ下へと移動して一箇所に集まると水たまりが生じることから、この水たまりに高圧電線が浸るようなことになれば支障を来してしまう可能性がある。つまり、上記従来技術は、水分に係る問題点を有している。
【０００６】
この他、上記従来技術にあっては、ワイヤハーネスの搬送の際に、金属保護パイプ同士が接触して変形等してしまわないようにするために、ワイヤハーネス毎に十分なスペースを確保する必要があり、これが問題点となっている。また、金属保護パイプを三次元的に曲げ加工していることから、立体的なスペースを確保する必要があり、これが問題点となっている。つまり、上記従来技術はスペース確保に係る問題点も有している。
【０００７】
本発明は、上記した事情に鑑みてなされたもので、水分を外部へ排水することが可能なプロテクタ、及びこのプロテクタを構成に含むワイヤハーネスを提供することを課題とする。また、水分を排水することが可能であるとともに搬送スペースを小さくすることが可能なワイヤハーネスを提供することを課題とする。
【課題を解決するための手段】
【０００８】
上記課題を解決するためになされた請求項１記載の本発明のプロテクタは、電線又は電線束を収容するための隣り合うコルゲートチューブ同士の端部間となる箇所で、該端部をそれぞれ保持するように設けられるプロテクタにおいて、スリットのない形状のコルゲートチューブを保持対象とするとともに、車両の車体床下をプロテクタ固定対象位置とし、且つ、前記コルゲートチューブの前記端部をそれぞれ保持する一対のチューブ保持部と、該一対のチューブ保持部の間に位置し前記端部から露出する前記電線又は前記電線束を収容する電線収容部とを有し、さらに、該電線収容部に外部へ水分を逃がすための水抜き穴を貫通形成し、該水抜き穴の貫通方向を前記車両の後方へ向く方向に設定することを特徴としている。
【０００９】
このような特徴を有する本発明によれば、曲がり易くワイヤハーネスの搬送スペースを小さくすることが可能なコルゲートチューブを保持する構造を有するとともに、コルゲートチューブ内において仮に結露が生じたとしても、この水分を外部へと排水することが可能な構造を有するプロテクタになる。水抜き穴は、車両の後方へと向く方向に貫通形成されることから、走行中における水分の浸入を防ぐことが可能になる。
【００１０】
請求項２記載の本発明のプロテクタは、請求項１に記載のプロテクタにおいて、前記水抜き穴を、前記電線収容部から次第に地面側に傾斜する形状に形成することを特徴としている。
【００１１】
このような特徴を有する本発明によれば、水分をより自然に外部へと排水することが可能になる。
【００１２】
上記課題を解決するためになされた請求項３記載の本発明のワイヤハーネスは、請求項１又は請求項２に記載の水抜き穴を有するプロテクタと、該プロテクタに保持されるスリットのない形状のコルゲートチューブと、該コルゲートチューブに収容される電線又は電線束とを備え、配索対象位置に車両の車体床下を含むことを特徴としている。
【００１３】
このような特徴を有する本発明によれば、内部で発生した水分を外部へと排水することが可能になるとともに、走行中における水分の浸入防止も可能なプロテクタを構成に含むワイヤハーネスになる。また、本発明によれば、曲がり易く搬送スペースを小さくすることが可能なコルゲートチューブを構成に含むワイヤハーネスになる。
【００１４】
請求項４記載の本発明のワイヤハーネスは、請求項３に記載のワイヤハーネスにおいて、前記コルゲートチューブを、断面非円形状の絶縁性を有する合成樹脂製の平型コルゲートチューブとすることを特徴としている。
【００１５】
このような特徴を有する本発明によれば、コルゲートチューブが平型であることから、丸型よりも低背のワイヤハーネスにすることが可能になる。また、コルゲートチューブは合成樹脂製であることから、金属製と比べて軽量化を図ることが可能になる。軽量化を図ることによって、ワイヤハーネス自体の取り回しを容易にすることも可能になる。この他、本発明によれば、コルゲートチューブは絶縁性を有することから、これに例えば大電流が流れることはなく、結果、安全性の向上を図ることも可能になる。
【００１６】
請求項５記載の本発明のワイヤハーネスは、請求項３又は請求項４に記載のワイヤハーネスにおいて、前記車体床下に配索した時に前記水抜き穴が地面に最も近い位置となるように前記プロテクタを配置することを特徴としている。
【００１７】
このような特徴を有する本発明によれば、内部に生じた水分をより自然に外部へと排水することが可能になる。
【００１８】
請求項６記載の本発明のワイヤハーネスは、請求項３ないし請求項５いずれか記載のワイヤハーネスにおいて、前記電線又は前記電線束の配索方向が変わる位置に前記プロテクタを配置することを特徴としている。
【００１９】
このような特徴を有する本発明によれば、水分が集まり易い位置にプロテクタの水抜き穴が存在するようなワイヤハーネスになる。また、本発明によれば、コルゲートチューブに対して負荷が掛かり難い構造のワイヤハーネスになる。
【発明の効果】
【００２０】
請求項１に記載された本発明によれば、コルゲートチューブ内等で生じた水分を外部へと排水することが可能なプロテクタを提供することができるという効果を奏する。
【００２１】
請求項２に記載された本発明によれば、水分をより自然に外部へ排水することができるという効果を奏する。
【００２２】
請求項３に記載された本発明によれば、水分を排水することが可能であるとともに搬送スペースを小さくすることが可能なワイヤハーネスを提供することができるという効果を奏する。
【００２３】
請求項４に記載された本発明によれば、低背のワイヤハーネス等にすることができるという効果を奏する。
【００２４】
請求項５に記載された本発明によれば、水分をより自然に外部へと排水することができるという効果を奏する。
【００２５】
請求項６に記載された本発明によれば、排水し易くコルゲートチューブに負荷の掛かり難いワイヤハーネスにすることができるという効果を奏する。
【発明を実施するための最良の形態】
【００２６】
以下、図面を参照しながら説明する。図１は本発明のプロテクタ及びワイヤハーネスの一実施の形態を示す模式的な構成図である。また、図２は車体床下用保護部材及びリーンホースを示す図であり、図２（ａ）は地面から車体床下を見た時の要部拡大図（一部断面を含む）、図２（ｂ）は（ａ）のＡ−Ａ線断面図である。
【００２７】
また、図３は本発明のプロテクタの斜視図、図４は本発明のプロテクタにおけるプロテクタ本体の斜視図、図５はプロテクタ本体の内側から見た水抜き穴の斜視図、図６はプロテクタ本体の外側から見た水抜き穴の斜視図である。
【００２８】
また、図７はワイヤハーネス製造から車両組み付けまでの流れを示す模式的な図であり、図７（ａ）は製造直後のワイヤハーネスの図、図７（ｂ）は汎用通い箱に収容して搬送する状態のワイヤハーネスの図、図７（ｃ）は車両組み付け直前のワイヤハーネスの図、図７（ｄ）は車両組み付け後のワイヤハーネスの図である。
【００２９】
本形態のワイヤハーネスは、ハイブリッド自動車又は電気自動車に配索されるものを対象にしている。以下では、ハイブリッド自動車での例を挙げて説明するものとする（電気自動車の場合でも本発明のワイヤハーネスの構成、構造、及び効果は基本的に同じである）。
【００３０】
図１において、引用符号１はハイブリッド自動車を示している。ハイブリッド自動車１は、エンジン２及びモータ３の二つの動力をミックスして駆動する車両であって、モータ３にはインバータ４を介してバッテリー５からの電力が供給されるようになっている。エンジン２、モータ３、及びインバータ４は、本形態において、前輪等がある車両内部前側６に搭載されている。また、バッテリー５は、後輪等がある車両内部後側７に搭載されている。
【００３１】
引用符号８は車体フレームを示している。図中において、車体フレーム８の上側は、車体床上９を示している。また、車体フレーム８の下側は、車体床下１０を示している。車体床下１０には、車両強度を高めるための断面略凸形状のリーンホース１１が設けられている。リーンホース１１は、車両前後にのびるように形成されている。車両内部前側６における引用符号１２は、例えば公知のリレーボックス等の電気接続箱を示している。また、車両内部後側７における引用符号１３は、公知の低圧バッテリーを示している（低圧バッテリー１３の配置は一例であるものとする）。
【００３２】
本形態において、モータ３は、モータ及びジェネレータを構成に含んでいるものとする。また、インバータ４は、インバータ及びコンバータを構成に含んでいるものとする。インバータ４は、インバータアッセンブリであって、上記インバータには、例えばエアコン・インバータやジェネレータ用インバータ、モータ用インバータが含まれるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。
【００３３】
インバータ４及びバッテリー５間は、本発明のワイヤハーネス２１によって接続されている。
【００３４】
本発明のワイヤハーネス２１は、インバータ４及びバッテリー５間を電気的に接続する複数の高圧電線２２と、この複数の高圧電線２２を保護する保護部材２３と、本発明の特徴部分であり車両固定用の固定部材としての機能も有するプロテクタ２４と、プロテクタ２４から本発明の特徴部分の後述する水抜き穴を除いたプロテクタ２４′とを備えて構成されている。
【００３５】
また、ワイヤハーネス２１は、特に限定するものでないが、本形態において、公知の複数の低圧電線２５も備えて構成されている（本形態では低圧バッテリー１３を車両内部後側７に配置するため、低圧電線２５を備えている。本形態ではモジュール化を図っている）。
【００３６】
ワイヤハーネス２１は、車両内部前側６から車体床下１０を通って車両内部後側７までのびるように形成されている。ワイヤハーネス２１は、車体フレーム８を貫通するようなものになっている。以下、ワイヤハーネス２１の上記各構成について説明する。
【００３７】
上記高圧電線２２は、公知の電力ケーブルであって、所定の直径となる断面円形状のものがここでは用いられている。高圧電線２２は、上記低圧電線２５よりも太物であって、中心に位置する導体は、銅や銅合金やアルミニウムによって製造されている。高圧電線２２は、本形態において二本備えられており、これらの各端末には、機器接続用の端子金具を有するコネクタ（図示省略）が設けられている。尚、高圧電線２２は、編組等を含んでシールド機能を有する構成にしてもよいものとする（シールド機能に関し、複数の高圧電線２２を一括して覆うような編組を設けてもよいものとする）。
【００３８】
上記低圧電線２５は、高圧電線２２と共に保護部材２３によって保護されるようになっている。低圧電線２５は、この一端が上記電気接続箱１２に接続されるとともに他端が低圧バッテリー１３に接続されている。
【００３９】
複数の高圧電線２２及び低圧電線２５を保護するための保護部材２３は、複数種の別体部品で構成されている。具体的に説明すると、保護部材２３は、車両内部用保護部材２６、２７と、車体床下用保護部材２８とを含んで構成されている。尚、保護部材２３の機能は、本形態において上記プロテクタ２４、２４′も有している。
【００４０】
上記車両内部用保護部材２６、２７（特許請求の範囲に記載したコルゲートチューブに相当）は、車体床上９側となる車両内部に位置する保護部材であって、絶縁性を有する合成樹脂製で、特に限定するものでないが、以下で説明する車体床下用保護部材２８と同じものがここでは用いられている（車両内部用保護部材２６、２７は、車両内部において高圧電線２２等を保護することができるコルゲートチューブであれば形態は特に限定されないものとする）。車両内部用保護部材２６は、車両内部前側６に配置されている。また、車両内部用保護部材２７は、車両内部後側７に配置されている。
【００４１】
図１及び図２において、上記車体床下用保護部材２８（特許請求の範囲に記載したコルゲートチューブに相当）は、断面非円形状（ここでは長円形状）の絶縁性を有する合成樹脂製の平型コルゲートチューブであって、部材の軸方向（図２の矢印Ｐ方向参照）に沿って、独立した部材周方向の山部２９と谷部３０とが交互に連続するような蛇腹状の形状に形成されている。このような形状の車体床下用保護部材２８は、図２の紙面に垂直なＱ方向の曲げが容易であり、矢印Ｒ方向（部材幅方向）にはあまり曲がらないような、曲げ方向が規制されるものとなっている。
【００４２】
もう少し詳しく形状について説明すると、車体床下用保護部材２８は、一対の対向する平面と、この平面を繋ぐ一対の曲面とを有するように形成されている（断面形状が長円形状となる。尚、この長円形となる断面形状は一例であるものとする）。具体的には、床下載置面３１と地面対向面３２とを有するとともに一対の曲面３３を有する、断面形状が長円形となる形状に形成されている。山部２９には、床下載置面３１、地面対向面３２、及び曲面３３となり得る頂面３４が形成されている。
【００４３】
このような形状に形成する理由としては、リーンホース１１の高さＨ１（車体床下１０からリーンホース１１の突出先端面までの高さＨ１）よりも車体床下用保護部材２８の高さＨ２を低くするためである。すなわち、車体床下用保護部材２８をリーンホース１１よりも低背とするためである。また、上記理由として、高圧電線２２及び低圧電線２５を横一列に並べた状態に合うように内部空間３５を形成するためである。内部空間３５は、高圧電線２２及び低圧電線２５を横一列に並べて収容した状態において、高圧電線２２と部材内面３６との間に生じる隙間が極力小さくなるように形成されている。（但し、製造に支障のない範囲で隙間が調整されるものとする）。車体床下用保護部材２８は、リーンホース１１の横に設置されると、リーンホース１１により生じるデッドスペース３７に隠れるような形状に形成されている。
【００４４】
車体床下用保護部材２８は、部材の軸方向（図２の矢印Ｐ方向参照）に沿ってスリットのないシームレス形状に形成されている。車体床下用保護部材２８には、この一方の開口から他方の開口に向けて高圧電線２２及び低圧電線２５がそれぞれ差し込まれるようになっている。
【００４５】
本形態において、一般的に知られるスリット入りのコルゲートチューブを用いないのは、スリットを介しての水分の浸入が走行中の水跳ねによって頻繁に起こり得る可能性があるからである。この他、スリット入りのコルゲートチューブは、これを曲げるとスリットが開いてしまう恐れがあり、走行中の水跳ね以外に石跳ねによる影響やワイヤハーネスの配索状態への影響も懸念されるからである。
【００４６】
図１において、上記プロテクタ２４は、ワイヤハーネス２１を車両に固定するための複数種の固定部材のうちの一種として、また、本発明の特徴部分として備えられている。プロテクタ２４は、絶縁性を有する合成樹脂製のものであって、車両内部用保護部材２７と、車体床下用保護部材２８とを繋ぐことができるように形成されている。言い換えれば、車両内部用保護部材２７の端部と、車体床下用保護部材２８の端部とに跨ることができるように形成されている。尚、上記プロテクタ２４′の方は、車両内部用保護部材２６と、車体床下用保護部材２８とを繋ぐことができるように形成されている。
【００４７】
図３ないし図６を参照しながらプロテクタ２４の具体的な構造について説明する。
【００４８】
図３において、プロテクタ２４は、プロテクタ本体４１と、このプロテクタ本体４１を覆うように嵌合するプロテクタカバー４２とを備えて構成されている。プロテクタ２４は、ワイヤハーネス２１における配索方向が変わる位置に配置されている（図１参照）。プロテクタ２４は、車体床下１０（図１参照）に沿う部分と、折れ曲がって斜め上方に向く部分とを有している。プロテクタ本体４１は地面側、プロテクタカバー４２は車体床下１０側に配置されている。
【００４９】
図３及び図４において、プロテクタ本体４１は、車体床下用保護部材２８の端部を保持するチューブ保持部４３と、車両内部用保護部材２７の端部を保持するチューブ保持部４４と、これらチューブ保持部４３、４４の間に位置し上記の各端部から露出する複数の高圧電線２２及び低圧電線２５を収容する電線収容部４５と、この電線収容部４５に形成される水抜き穴４６と、車体フレーム８（図１参照）に対しネジ止めする部分としてのネジ止め固定部４７と、車体フレーム８に係止される係止部４８と、プロテクタカバー４２に対し複数形成される本体側嵌合部４９とを有している（尚、プロテクタ２４′の方は、水抜き穴４６が存在しない構成になっている）。
【００５０】
チューブ保持部４３には、車体床下用保護部材２８の谷部３０（図２参照）を引っ掛けて抜け止めをする凸部（図示省略）が一又は複数形成されている。凸部はチューブ保持部４４にも形成されている。
【００５１】
図５及び図６において、水抜き穴４６は、電線収容部４５に集まってくる水分を外部へと逃がすための部分として形成されている。水抜き穴４６は、電線収容部４５を貫通するように、また、車両の後方に向けて貫通するように形成されている。さらに、水抜き穴４６は、電線収容部４５から次第に地面側に傾斜するように形成されている。水抜き穴４６は、外力によって破損し難い形状に形成されている。
【００５２】
水抜き穴４６は、本形態において、車両内部用保護部材２７の端部近傍位置に貫通形成されている（特に限定するものでないが、車両内部用保護部材２７の内部で生じた結露を優先的に排水することができるようになっている）。水抜き穴４６は、ワイヤハーネス２１において最も地面に近い位置（最下位置）に配置形成されている。
【００５３】
水抜き穴４６は、例えば結露によって溜まる程度の水分を排水することができる大きさに貫通形成されている（比較的小さな貫通孔となるように形成されている）。水抜き穴４６は、上記の貫通する向きによって車両走行中における水分の浸入防止することができるようにもなっている。
【００５４】
図３において、プロテクタカバー４２は、プロテクタ本体４１に収容される車体床下用保護部材２８の端部及び車両内部用保護部材２７の端部をガタ付きなく押さえつつプロテクタ本体４１に嵌合する板状の部材であって、プロテクタ本体４１の複数の本体側嵌合部４９に対しそれぞれ嵌合するカバー側嵌合部５０を有している。
【００５５】
次に、図７を参照しながら、ワイヤハーネス２１の製造から車両組み付けまでを説明する。
【００５６】
図７（ａ）において、車両内部用保護部材２６、２７及び車体床下用保護部材２８を含む、保護部材２３に複数の高圧電線２２及び低圧電線２５を挿通するとともに、保護部材２３の所定位置にプロテクタ２４及び２４′を設け、さらに、車両内部用保護部材２６、２７から露出した高圧電線２２及び低圧電線２５の各端末を処理（コネクタや端子金具を設ける）すると、本発明のワイヤハーネス２１の製造が完了する。
【００５７】
製造後のワイヤハーネス２１は、車体床下用保護部材２８の位置や車両内部用保護部材２６、２７の位置で曲げを施して図７（ｂ）に示す如く丸められ、そして通い箱３８に収容される。通い箱３８に収容された状態のワイヤハーネス２１は、搬送車両によって自動車メーカーの組み立て工場まで搬送される。組み立て工場においては、車両組み付け前に通い箱３８からワイヤハーネス２１が取り出され（図７（ｃ）参照）、この後に車両の所定位置に組み付けられると、配索が完了する。
【００５８】
以上、図１ないし図７を参照しながら説明してきたように、本発明のプロテクタ２４によれば、車両内部用保護部材２７等のコルゲートチューブ内で生じた水分を水抜き穴４６を介して外部へと排水することができるという効果を奏する。また、本発明のワイヤハーネス２１によれば、水分を排水することができるとともに、搬送スペースを小さくすることができるという効果を奏する。
【００５９】
本発明は本発明の主旨を変えない範囲で種々変更実施可能なことは勿論である。
【００６０】
上記説明において、プロテクタ２４′は本発明の特徴部分の水抜き穴４６を除いた構造となっているが、この限りでないものとする。すなわち、車両内部用保護部材２６の内部で生じた結露を外部へ排水するための水抜き穴を同様に形成しても良いものとする（上記水抜き穴４６と同じ機能のもの）。
【図面の簡単な説明】
【００６１】
【図１】本発明のプロテクタ及びワイヤハーネスの一実施の形態を示す模式的な構成図である。
【図２】車体床下用保護部材及びリーンホースを示す図であり、（ａ）は地面から車体床下を見た時の要部拡大図（一部断面を含む）、（ｂ）は（ａ）のＡ−Ａ線断面図である。
【図３】本発明のプロテクタの斜視図である。
【図４】本発明のプロテクタにおけるプロテクタ本体の斜視図である。
【図５】プロテクタ本体の内側から見た水抜き穴の斜視図である。
【図６】プロテクタ本体の外側から見た水抜き穴の斜視図である。
【図７】ワイヤハーネス製造から車両組み付けまでの流れを示す模式的な図であり、（ａ）は製造直後のワイヤハーネスの図、（ｂ）は汎用通い箱に収容して搬送する状態のワイヤハーネスの図、（ｃ）は車両組み付け直前のワイヤハーネスの図、（ｄ）は車両組み付け後のワイヤハーネスの図である。
【符号の説明】
【００６２】
１  ハイブリッド自動車
２  エンジン
３  モータ
４  インバータ
５  バッテリー
６  車両内部前側
７  車両内部後側
８  車体フレーム
９  車体床上
１０  車体床下
１１  リーンホース
１２  電気接続箱
１３  低圧バッテリー
２１  ワイヤハーネス
２２  高圧電線（電線）
２３  保護部材
２４、２４′  プロテクタ
２５  低圧電線（電線）
２６、２７  車両内部用保護部材（コルゲートチューブ）
２８  車体床下用保護部材（コルゲートチューブ）
２９  山部
３０  谷部
３１  床下載置面
３２  地面対向面
３３  曲面
３４  頂面
３５  内部空間
３６  部材内面
３７  デッドスペース
３８  通い箱
４１  プロテクタ本体
４２  プロテクタカバー
４３、４４  チューブ保持部
４５  電線収容部
４６  水抜き穴
４７  ネジ止め固定部
４８  係止部
４９  本体側嵌合部
５０  カバー側嵌合部
【図１】
2010051042.tif 000003
【図２】
2010051042.tif 000004
【図３】
2010051042.tif 000005
【図４】
2010051042.tif 000006
【図５】
2010051042.tif 000007
【図６】
2010051042.tif 000008
【図７】
2010051042.tif 000009